(57)【要約】【課題】種々の環境に対応できる照明装置、光学フィルタ及び照明システムを提供する。【解決手段】実施形態に係る照明システムは、照明装置と、光学フィルタと、を含む。照明装置は、第１〜第３レーザ素子を含む。第１〜第３レーザ素子は、第１〜第３ピーク波長を有し半値全幅が５ｎｍ以下である第１〜第３レーザ光をそれぞれ出射する。光学フィルタは、第１フィルタ素子を含む。第１フィルタ素子は、第１〜第３ボトム透過波長を有し半値全幅が５ｎｍ以下の第１〜第３透過波長領域を有する。第１〜第３ボトム透過波長と第１〜第３ピーク波長との差の絶対値は、５ｎｍ以下である。【選択図】図１
2016051606.tif 000002
【特許請求の範囲】
【請求項１】
第１ピーク波長を有し半値全幅が５ナノメートル以下である第１レーザ光を出射する第１レーザ素子と、
前記第１ピーク波長よりも長く前記第１ピーク波長との差が８０ナノメートル以上である第２ピーク波長を有し半値全幅が５ナノメートル以下である第２レーザ光を出射する第２レーザ素子と、
前記第２ピーク波長よりも長く前記第２ピーク波長との差が８０ナノメートル以上である第３ピーク波長を有し半値全幅が５ナノメートル以下である第３レーザ光を出射する第３レーザ素子と、
を含む照明装置と、
第１ボトム透過波長を有し半値全幅が５ナノメートル以下の第１透過波長領域と、
第２ボトム透過波長を有し半値全幅が５ナノメートル以下の第２透過波長領域と、
第３ボトム透過波長を有し半値全幅が５ナノメートル以下の第３透過波長領域と、
を有する第１フィルタ素子を含む光学フィルタと、
を備え、
前記第１ボトム透過波長と前記第１ピーク波長との差の絶対値は、５ナノメートル以下であり、
前記第２ボトム透過波長と前記第２ピーク波長との差の絶対値は、５ナノメートル以下であり、
前記第３ボトム透過波長と前記第３ピーク波長との差の絶対値は、５ナノメートル以下である、照明システム。
【請求項２】
前記照明装置は、
前記第１ピーク波長との差の絶対値が６ナノメートル以上６０ナノメートル以下である第４ピーク波長を有し半値全幅が５ナノメートル以下である第４レーザ光を出射する第４レーザ素子と、
前記第２ピーク波長との差の絶対値が６ナノメートル以上６０ナノメートル以下である第５ピーク波長を有し半値全幅が５ナノメートル以下である第５レーザ光を出射する第５レーザ素子と、
前記第３ピーク波長との差の絶対値が６ナノメートル以上６０ナノメートル以下である第６ピーク波長を有し半値全幅が５ナノメートル以下である第６レーザ光を出射する第６レーザ素子と、
をさらに含み、
前記光学フィルタは、
第４ボトム透過波長を有し半値全幅が５ナノメートル以下の第４透過波長領域と、
第５ボトム透過波長を有し半値全幅が５ナノメートル以下の第５透過波長領域と、
第６ボトム透過波長を有し半値全幅が５ナノメートル以下の第６透過波長領域と、
を有する第２フィルタ素子をさらに含み、
前記第４ボトム透過波長と前記第４ピーク波長との差の絶対値は、５ナノメートル以下であり、
前記第５ボトム透過波長と前記第５ピーク波長との差の絶対値は、５ナノメートル以下であり、
前記第６ボトム透過波長と前記第６ピーク波長との差の絶対値は、５ナノメートル以下である、請求項１記載の照明システム。
【請求項３】
前記照明装置は、レーザ制御部をさらに含み、
前記レーザ制御部は、
第１状態において、前記第１レーザ素子に前記第１レーザ光を出射させ、前記第２レーザ素子に前記第２レーザ光を出射させ、前記第３レーザ素子に前記第３レーザ光を出射させ、
第２状態において、前記第４レーザ素子に前記第４レーザ光を出射させ、前記第５レーザ素子に前記第５レーザ光を出射させ、前記第６レーザ素子に前記第６レーザ光を出射させる、請求項２記載の照明システム。
【請求項４】
前記レーザ制御部は、
前記第１状態において前記第４レーザ素子から出射される前記第４レーザ光の強度を、前記第２状態において前記第４レーザ素子から出射される前記第４レーザ光の強度よりも低くする、または、前記第１状態において、前記第４レーザ素子に前記第４レーザ光を出射させず、
前記第１状態において前記第５レーザ素子から出射される前記第５レーザ光の強度を、前記第２状態において前記第５レーザ素子から出射される前記第５レーザ光の強度よりも低くする、または、前記第１状態において、前記第５レーザ素子に前記第５レーザ光を出射させず、
前記第１状態において前記第６レーザ素子から出射される前記第６レーザ光の強度を、前記第２状態において前記第６レーザ素子から出射される前記第６レーザ光の強度よりも低くする、または、前記第１状態において、前記第６レーザ素子に前記第５レーザ光を出射させず、
前記第２状態において前記第１レーザ素子から出射される前記第１レーザ光の強度を、前記第１状態において前記第１レーザ素子から出射される前記第１レーザ光の強度よりも低くする、または、前記第２状態において、前記第１レーザ素子に前記第１レーザ光を出射させず、
前記第２状態において前記第２レーザ素子から出射される前記第２レーザ光の強度を、前記第１状態において前記第２レーザ素子から出射される前記第２レーザ光の強度よりも低くする、または、前記第２状態において、前記第２レーザ素子に前記第２レーザ光を出射させず、
前記第２状態において前記第３レーザ素子から出射される前記第３レーザ光の強度を、前記第１状態において前記第３レーザ素子から出射される前記第３レーザ光の強度よりも低くする、または、前記第２状態において、前記第３レーザ素子に前記第３レーザ光を出射させない、請求項３記載の照明システム。
【請求項５】
前記光学フィルタは、フィルタ制御部をさらに含み、
前記フィルタ制御部は、前記第１フィルタ素子の位置を前記第１状態と前記第２状態との間で変更する請求項３または４に記載の照明システム。
【請求項６】
前記照明装置は、非可干渉光を放出する光源をさらに含み、
前記非可干渉光の全光束光量は、前記第２レーザ光の全光束光量の１／７以下である請求項１〜５のいずれか１つに記載の照明システム。
【請求項７】
第１ピーク波長を有し半値全幅が５ナノメートル以下である第１レーザ光を出射する第１レーザ素子と、
前記第１ピーク波長よりも長く前記第１ピーク波長との差が８０ナノメートル以上である第２ピーク波長を有し半値全幅が５ナノメートル以下である第２レーザ光を出射する第２レーザ素子と、
前記第２ピーク波長よりも長く前記第２ピーク波長との差が８０ナノメートル以上である第３ピーク波長を有し半値全幅が５ナノメートル以下である第３レーザ光を出射する第３レーザ素子と、
を備えた照明装置。
【請求項８】
前記第１ピーク波長との差の絶対値が６ナノメートル以上６０ナノメートル以下である第４ピーク波長を有し半値全幅が５ナノメートル以下である第４レーザ光を出射する第４レーザ素子と、
前記第２ピーク波長との差の絶対値が６ナノメートル以上６０ナノメートル以下である第５ピーク波長を有し半値全幅が５ナノメートル以下である第５レーザ光を出射する第５レーザ素子と、
前記第３ピーク波長との差の絶対値が６ナノメートル以上６０ナノメートル以下である第６ピーク波長を有し半値全幅が５ナノメートル以下である第６レーザ光を出射する第６レーザ素子と、
をさらに備えた請求項７記載の照明装置。
【請求項９】
第１状態において、前記第１レーザ素子に前記第１レーザ光を出射させ、前記第２レーザ素子に前記第２レーザ光を出射させ、前記第３レーザ素子に前記第３レーザ光を出射させ、
第２状態において、前記第４レーザ素子に前記第４レーザ光を出射させ、前記第５レーザ素子に前記第５レーザ光を出射させ、前記第６レーザ素子に前記第６レーザ光を出射させるレーザ制御部をさらに備えた請求項８記載の照明装置。
【請求項１０】
第１ボトム透過波長を有し半値全幅が５ナノメートル以下の第１透過波長領域と、
第２ボトム透過波長を有し半値全幅が５ナノメートル以下の第２透過波長領域と、
第３ボトム透過波長を有し半値全幅が５ナノメートル以下の第３透過波長領域と、
を有する第１フィルタ素子
を備え、
前記第２ボトム透過波長は、前記第１ボトム透過波長よりも長く、前記第２ボトム透過波長と前記第１ボトム透過波長との差が８０ナノメートル以上であり、
前記第３ボトム透過波長は、前記第２ボトム透過波長よりも長く、前記第３ボトム透過波長と前記第２ボトム透過波長との差が８０ナノメートル以上である、光学フィルタ。
【請求項１１】
第４ボトム透過波長を有し半値全幅が５ナノメートル以下の第４透過波長領域と、
第５ボトム透過波長を有し半値全幅が５ナノメートル以下の第５透過波長領域と、
第６ボトム透過波長を有し半値全幅が５ナノメートル以下の第６透過波長領域と、
を有する第２フィルタ素子
をさらに備え、
前記第４ボトム透過波長と前記第１ボトム透過波長との差の絶対値は、６ナノメートル以上６０ナノメートル以下であり、
前記第５ボトム透過波長と前記第２ボトム透過波長との差の絶対値は、６ナノメートル以上６０ナノメートル以下であり、
前記第６ボトム透過波長と前記第３ボトム透過波長との差の絶対値は、６ナノメートル以上６０ナノメートル以下である、請求項１０に記載の光学フィルタ。
【請求項１２】
フィルタ制御部をさらに備え、
前記フィルタ制御部は、前記第１フィルタ素子の位置を前記第１状態と前記第２状態との間で変更する請求項１０または１１に記載の光学フィルタ。
【発明の詳細な説明】
【技術分野】
【０００１】
本発明の実施形態は、照明装置、光学フィルタ及び照明システムに関する。
【背景技術】
【０００２】
種々の環境に対応できる照明システムが求められている。照明システムにおいては、照明装置から照明光が出射される。一方、撮像や天体観測等において、光学フィルタが用いられる場合がある。
【先行技術文献】
【特許文献】
【０００３】
【特許文献１】特開２０１０−７２４９４号公報
【発明の概要】
【発明が解決しようとする課題】
【０００４】
本発明の実施形態は、種々の環境に対応できる照明装置、光学フィルタ及び照明システムを提供する。
【課題を解決するための手段】
【０００５】
実施形態に係る照明システムは、照明装置と、光学フィルタと、を含む。前記照明装置は、第１〜第３レーザ素子を含む。前記第１レーザ素子は、第１ピーク波長を有し半値全幅が５ナノメートル以下である第１レーザ光を出射する。前記第２レーザ素子は、前記第１ピーク波長よりも長く前記第１ピーク波長との差が８０ナノメートル以上である第２ピーク波長を有し半値全幅が５ナノメートル以下である第２レーザ光を出射する。前記第３レーザ素子は、前記第２ピーク波長よりも長く前記第２ピーク波長との差が８０ナノメートル以上である第３ピーク波長を有し半値全幅が５ナノメートル以下である第３レーザ光を出射する。前記光学フィルタは、第１フィルタ素子を含む。前記第１フィルタ素子は、第１ボトム透過波長を有し半値全幅が５ナノメートル以下の第１透過波長領域と、第２ボトム透過波長を有し半値全幅が５ナノメートル以下の第２透過波長領域と、第３ボトム透過波長を有し半値全幅が５ナノメートル以下の第３透過波長領域と、を有する。前記第１ボトム透過波長と前記第１ピーク波長との差の絶対値は、５ナノメートル以下である。前記第２ボトム透過波長と前記第２ピーク波長との差の絶対値は、５ナノメートル以下である。前記第３ボトム透過波長と前記第３ピーク波長との差の絶対値は、５ナノメートル以下である。
【図面の簡単な説明】
【０００６】
【図１】図１（ａ）及び図１（ｂ）は、第１の実施形態に係る照明装置を例示する模式図である。
【図２】図２（ａ）〜図２（ｃ）は、第１の実施形態に係る光学フィルタを例示する模式図である。
【図３】図３（ａ）及び図３（ｂ）は、第２の実施形態に係る照明装置を例示する模式図である。
【図４】図４（ａ）〜図４（ｃ）は、第２の実施形態に係る光学フィルタを例示する模式図である。
【図５】実施形態に係る別の照明装置を例示する模式図である。
【図６】実施形態に係る別の照明装置を例示する模式図である。
【図７】実施形態に係る光学フィルタを例示する模式的断面図である。
【図８】第３の実施形態に係る照明システムを例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１（ａ）及び図１（ｂ）は、第１の実施形態に係る照明装置を例示する模式図である。  
図１（ａ）は、斜視図である。図１（ｂ）は、照明装置の特性を例示するグラフ図である。図１（ｂ）において、縦軸は光の強度Ｉｎｔ１（任意単位）であり、横軸は波長λ（ナノメートル：ｎｍ）である。
【０００９】
図１（ａ）に示すように、本実施形態に係る照明装置１１０において、第１レーザ素子１１、第２レーザ素子１２および第３レーザ素子１３が設けられる。この例では、第１レーザ素子１１、第２レーザ素子１２および第３レーザ素子１３は、筐体１８に設けられる。
【００１０】
第１レーザ素子１１は、第１レーザ光ＬＬ１を出射する。第２レーザ素子１２は、第２レーザ光ＬＬ２を出射する。第３レーザ素子１３は、第３レーザ光ＬＬ３を出射する。
【００１１】
図１（ｂ）に示すように、第１レーザ光ＬＬ１は、第１ピーク波長λｅ１を有する。第２レーザ光ＬＬ２は、第２ピーク波長λｅ２を有する。第２ピーク波長λｅ２は、第１ピーク波長λｅ１よりも長い。第２ピーク波長λｅ２と第１ピーク波長λｅ１との差は、例えば、５０ｎｍ以上である。第３レーザ光ＬＬ３は、第３ピーク波長λｅ３を有する。第３ピーク波長λｅ３は、第２ピーク波長λｅ２よりも長い。第３ピーク波長λｅ３と第２ピーク波長λｅ２との差は、例えば、５０ｎｍ以上である。
【００１２】
図１（ｂ）に示すように、第１レーザ光ＬＬ１は、第１ピーク波長λｅ１において第１ピーク強度Ｉｅ１を有する。第２レーザ光ＬＬ２は、第２ピーク波長λｅ２において第２ピーク強度Ｉｅ２を有する。第３レーザ光ＬＬ３は、第３ピーク波長λｅ３において第３ピーク強度Ｉｅ３を有する。
【００１３】
第１ピーク波長λｅ１における第１レーザ光ＬＬ１の第１ピーク強度Ｉｅ１は、第１ピーク波長λｅ１を除く波長における第１レーザ光ＬＬ１の強度よりも高い。第２ピーク波長λｅ２における第２レーザ光ＬＬ２の第２ピーク強度Ｉｅ２は、第２ピーク波長λｅ２を除く波長における第２レーザ光ＬＬ２の強度よりも高い。第３ピーク波長λｅ３における第３レーザ光ＬＬ３の第３ピーク強度Ｉｅ３は、第３ピーク波長λｅ３を除く波長における第３レーザ光ＬＬ３の強度よりも高い。
【００１４】
実施形態において、これらのピーク強度は互いに同じでも良く、互いに異なっても良い。この例では、第２ピーク強度Ｉｅ２は、第１ピーク強度Ｉｅ１よりも高い。第２ピーク強度Ｉｅ２は、第３ピーク強度Ｉｅ３よりも高い。
【００１５】
第１レーザ光ＬＬ１の半値全幅Ｗｅ１、第２レーザ光ＬＬ２の半値全幅Ｗｅ２、及び、第３レーザ光ＬＬ３の半値全幅Ｗｅ３のそれぞれは、例えば、１０ｎｍ以下である。
【００１６】
第１レーザ光ＬＬ１において、半値全幅Ｗｅ１の波長の範囲で、光の強度は、第１ピーク強度Ｉｅ１の１／２以上である。第２レーザ光ＬＬ２において、半値全幅Ｗｅ２の波長の範囲で、光の強度は、第２ピーク強度Ｉｅ２の１／２以上である。第３レーザ光ＬＬ３において、半値全幅Ｗｅ３の波長の範囲で、光の強度は、第３ピーク強度Ｉｅ３の１／２以上である。
【００１７】
例えば、第１レーザ光ＬＬ１は青色であり、第２レーザ光ＬＬ２は緑色であり、第３レーザ光ＬＬ３は赤色である。このように第１ピーク波長λｅ１、第２ピーク波長λｅ２、および第３ピーク波長λｅ３を設定することにより、第１レーザ光ＬＬ１と第２レーザ光ＬＬ２と第３レーザ光ＬＬ３とが合成された光は、白色となる。
【００１８】
図２（ａ）〜図２（ｃ）は、第１の実施形態に係る光学フィルタを例示する模式図である。  
図２（ａ）は、斜視図である。図２（ｂ）は、光学フィルタの特性を例示するグラフ図である。図２（ｂ）は、波長と透過率の関係を例示している。図２（ｂ）の縦軸は、透過率Ｔｒである。横軸は、波長λ（ｎｍ）である。図２（ｃ）は、光学フィルタの特性を例示するグラフ図である。図２（ｃ）は、波長と反射率の関係を例示している。図２（ｃ）の縦軸は反射率Ｒｆである。横軸は波長λ（ｎｍ）である。
【００１９】
図２（ａ）に示すように、本実施形態に係る光学フィルタ２１０において、第１フィルタ素子２１が設けられる。図２（ａ）に示す例では、光学フィルタ２１０は、枠体２８をさらに含む。第１フィルタ素子２１は、例えば、板状である。第１フィルタ素子２１は、枠体２８を介して、例えば、カメラ受光部３１０に取り付けられる。光学フィルタ２１０に入射する光は、光学フィルタ２１０を透過してカメラ受光部３１０に入射する。
【００２０】
図２（ｂ）に示すように、第１フィルタ素子２１は、第１透過波長領域Ｒｔ１と、第２透過波長領域Ｒｔ２と、第３透過波長領域Ｒｔ３と、を有する。
【００２１】
第１透過波長領域Ｒｔ１は、第１ボトム透過波長λｔ１を有する。  
第２透過波長領域Ｒｔ２は、第２ボトム透過波長λｔ２を有する。第２ボトム透過波長λｔ２は、第１ボトム透過波長λｔ１よりも長い。第２ボトム透過波長λｔ２と第１ボトム透過波長λｔ１との差は、例えば、５０ｎｍ以上である。  
第３透過波長領域Ｒｔ３は、第３ボトム透過波長λｔ３を有する。第３ボトム透過波長λｔ３は、第２ボトム透過波長λｔ２よりも長い。第３ボトム透過波長λｔ３と第２ボトム透過波長λｔ２との差は、例えば、５０ｎｍ以上である。
【００２２】
図２（ｂ）に示すように、第１透過波長領域Ｒｔ１は、第１ボトム透過波長λｔ１において第１ボトム透過率Ｉｔ１を有する。第２透過波長領域Ｒｔ２は、第２ボトム透過波長λｔ２において、第２ボトム透過率Ｉｔ２を有する。第３透過波長領域Ｒｔ３は、第３ボトム透過波長λｔ３において第３ボトム透過率Ｉｔ３を有する。
【００２３】
第１透過波長領域Ｒｔ１の第１ボトム透過波長λｔ１における第１ボトム透過率Ｉｔ１は、第１透過波長領域Ｒｔ１の第１ボトム透過波長λｔ１を除く波長における透過率よりも低い。  
第２透過波長領域Ｒｔ２の第２ボトム透過波長λｔ２における第２ボトム透過率Ｉｔ２は、第２透過波長領域Ｒｔ２の第２ボトム透過波長λｔ２を除く波長における透過率よりも低い。  
第３透過波長領域Ｒｔ３の第３ボトム透過波長λｔ３における第３ボトム透過率Ｉｔ３は、第３透過波長領域Ｒｔ３の第３ボトム透過波長λｔ３を除く波長における透過率よりも低い。
【００２４】
実施形態において、これらのボトム透過率は、互いに同じでも良く、互いに異なっても良い。この例では、第２ボトム透過率Ｉｔ２は、第１ボトム透過率Ｉｔ１よりも低い。第２ボトム透過率Ｉｔ２は、第３ボトム透過率Ｉｔ３よりも低い。
【００２５】
第１透過波長領域Ｒｔ１の半値全幅Ｗｔ１は、例えば、１０ｎｍ以下である。第２透過波長領域Ｒｔ２の半値全幅Ｗｔ２は、例えば、１０ｎｍ以下である。第３透過波長領域Ｒｔ３の半値全幅Ｗｔ３は、例えば、１０ｎｍ以下である。
【００２６】
半値全幅Ｗｔ１の波長の範囲において、透過率は、｛Ｉｔ１＋（１−Ｉｔ１）／２｝以下である。半値全幅Ｗｔ２の波長の範囲において、透過率は、｛Ｉｔ２＋（１−Ｉｔ２）／２｝以下である。半値全幅Ｗｔ３の波長の範囲において、透過率は、｛Ｉｔ３＋（１−Ｉｔ３）／２｝以下である。
【００２７】
例えば、第１ボトム透過波長λｔ１は青色の波長である。第２ボトム透過波長λｔ２は緑色の波長である。第３ボトム透過波長λｔ３は赤色の波長である。
【００２８】
本例では、第１ボトム透過波長λｔ１は第１レーザ光ＬＬ１の第１ピーク波長λｅ１と対応する。第２ボトム透過波長λｔ２は第２レーザ光ＬＬ２の第２ピーク波長λｅ２と対応する。第３ボトム透過波長λｔ３は第３レーザ光ＬＬ３の第３ピーク波長λｅ３と対応する。
【００２９】
実施形態において、例えば、光学フィルタ２１０における吸収率は低く、無視できる。このとき、透過率と反射率との和は、実質的に１である。
【００３０】
図２（ｃ）に示すように、第１フィルタ素子２１は、第１反射波長領域Ｒｒ１と、第２反射波長領域Ｒｒ２と、第３反射波長領域Ｒｒ３と、を有する。
【００３１】
第１反射波長領域Ｒｒ１は、第１ピーク反射波長λｒ１を有する。  
第２反射波長領域Ｒｒ２は、第２ピーク反射波長λｒ２を有する。第２ピーク反射波長λｒ２は、第１ピーク反射波長λｒ１よりも長い。第２ピーク反射波長λｒ２と第１ピーク反射波長λｒ１との差は、例えば、５０ｎｍ以上である。  
第３反射波長領域Ｒｒ３は、第３ピーク反射波長λｒ３を有する。第３ピーク反射波長λｒ３は、第２ピーク反射波長λｒ２よりも長い。第３ピーク反射波長λｒ３と第２ピーク反射波長λｒ２との差は、例えば、５０ｎｍ以上である。
【００３２】
図２（ｂ）に示すように、第１反射波長領域Ｒｒ１は、第１ピーク反射波長λｒ１において第１ピーク反射率Ｉｒ１を有する。第２反射波長領域Ｒｒ２は、第２ピーク反射波長λｒ２において、第２ピーク反射率Ｉｒ２を有する。第３反射波長領域Ｒｒ３は、第３ピーク反射波長λｒ３において第３ピーク反射率Ｉｒ３を有する。
【００３３】
第１ピーク反射波長λｒ１における第１ピーク反射率Ｉｒ１は、第１反射波長領域Ｒｒ１のうちで第１ピーク反射波長λｒ１を除く波長における反射率よりも高い。  
第２ピーク反射波長λｒ２における第２ピーク反射率Ｉｒ２は、第２反射波長領域Ｒｒ２のうちで第２ピーク反射波長λｒ２を除く波長における反射率よりも高い。  
第３ピーク反射波長λｒ３における第３ピーク反射率Ｉｒ３は、第３反射波長領域Ｒｒ３のうちで第３ピーク反射波長λｒ３を除く波長における反射率よりも高い。
【００３４】
実施形態において、これらの反射率は互いに同じでも良く、互いに異なっても良い。この例では、第２ピーク反射率Ｉｒ２は、第１ピーク反射率Ｉｒ１よりも高い。第２ピーク反射率Ｉｒ２は、第３ピーク反射率Ｉｒ３よりも高い。
【００３５】
第１反射波長領域Ｒｒ１の半値全幅Ｗｒ１は、例えば、１０ｎｍ以下である。第２反射波長領域Ｒｒ２の半値全幅Ｗｒ２は、例えば、１０ｎｍ以下である。第３反射波長領域Ｒｒ３の半値全幅Ｗｒ３は、例えば、１０ｎｍ以下である。
【００３６】
半値全幅Ｗｒ１の波長の範囲において、反射率は、第１ピーク反射率Ｉｒ１の１／２以上である。半値全幅Ｗｒ２の波長の範囲において、反射率は、第２ピーク反射率Ｉｒ２の１／２以上である。半値全幅Ｗｒ３の波長の範囲において、反射率は、第３ピーク反射率Ｉｒ３の１／２以上である。
【００３７】
上記の照明装置１１０を用いた照明環境においては、照明環境内の物体は、自然に観察される。
【００３８】
一方、上記の光学フィルタ２１０を用いて、特定の物体などの観測が行われる。特定の物体は、例えば、天体などである。光学フィルタ２１０を介して観測することで、光学フィルタ２１０のボトム透過波長の光の成分は、実質的に除外される。そして、ボトム透過波長を除く光の成分は、光学フィルタ２１０を通過する。例えば、天体からの光の少なくとも一部は、光学フィルタ２１０を通過する。光学フィルタ２１０を通過した光は、例えば、カメラ受光部３１０に到達する。カメラ受光部３１０には、照明装置１１０からの照明光が実質的に入射しない。カメラ受光部３１０には、光学フィルタ２１０を通過した、例えば、天体からの光が、入射する。すなわち、照明装置１１０からの照明光を選択的に減衰させることで、観測の目的とする光（例えば天体からの光）を効率的に観測できる。
【００３９】
例えば、光学フィルタ２１０を眼鏡レンズと組み合わせて使用してもよい。この場合には、その眼鏡を使用している使用者は、照明装置１１０からの照明光を実質的に知覚できない。すなわち、暗い像が知覚される。このとき、照明装置１１０からの照明光の波長成分（ピーク波長）を除く波長の光については、使用者は知覚できる。すなわち、照明装置１１０からの照明光とは異なる波長特性を有する発光体または反射体（物体）を知覚し易くできる。すなわち、照明装置１１０からの照明光の影響を抑制して知覚できる。
【００４０】
例えば、夜間に街灯照明等が夜空を明るくすると、星が見え難くなる。すなわち、光害が生じる。このため、星を観察できる場所が減少している。集光力の大きい観測装置において、夜空のバックグランドの光害が観測のノイズとなる。
【００４１】
本実施形態は、この問題に着目している。実施形態によれば、照明装置１１０を特定地域に導入し、光学フィルタ２１０を用いて観察や観測が行われる。これにより、その地域においては、天体の観察性、観測性が他の地域に比べ格段に向上する。照明装置１１０においては、３波長のレーザを用いることにより、照明としての質を保ったまま光害を抑制できる。
【００４２】
例えば、照明装置１１０を街路灯として用い、天体の観測を行う天体望遠鏡に光学フィルタ２１０を用いる。これにより、照明装置１１０からの照明光の影響を受けずに、天体の観測を行うことができる。
【００４３】
実施形態において、第１ボトム透過波長λｔ１と第１ピーク波長λｅ１との差の絶対値は、例えば、５ｎｍ以下である。３ｎｍ以下であることがさらに好ましい。第２ボトム透過波長λｔ２と第２ピーク波長λｅ２との差の絶対値は、例えば、５ｎｍ以下である。３ｎｍ以下であることがさらに好ましい。第３ボトム透過波長λｔ３と第３ピーク波長λｅ３との差の絶対値は、例えば、５ｎｍ以下である。３ｎｍ以下であることがさらに好ましい。
【００４４】
例えば、ボトム透過波長とピーク波長とは、実質的に一致している。差が小さいときに、例えば、レーザ光の漏れが少ない。そして、光の損失を抑制できる。バックグランドが暗くなり観測対象のコントラストが高くなる。これにより、例えば、Ｓ／Ｎの高い観測ができる。
【００４５】
実施形態において、第２ピーク波長λｅ２は第１ピーク波長λｅ１よりも長い。第２ピーク波長λｅ２と第１ピーク波長λｅ１との差は、５０ｎｍ以上である。８０ｎｍ以上であることがさらに好ましい。第３ピーク波長λｅ３は第２ピーク波長λｅ２よりも長い。第３ピーク波長λｅ３と第２ピーク波長λｅ２との差は、５０ｎｍ以上である。８０ｎｍ以上であることがさらに好ましい。
【００４６】
第１ピーク波長λｅ１、第２ピーク波長λｅ２および第３ピーク波長λｅ３は、互いに異なって設定される。このため、第１レーザ光ＬＬ１と第２レーザ光ＬＬ２と第３レーザ光ＬＬ３との合成光は、例えば、複数の色を含む。照明装置１１０からの照明光により、物体の複数の色を識別できる。
【００４７】
識別可能な色を増やすために、第１ピーク強度Ｉｅ１、第２ピーク強度Ｉｅ２および第３ピーク強度Ｉｅ３のそれぞれを調整してもよい。
【００４８】
例えば、第１レーザ光ＬＬ１は、青色であり、第２レーザ光ＬＬ２は、緑色であり、第３レーザ光ＬＬ３は、赤色である。この場合、第１レーザ光ＬＬ１と第２レーザ光ＬＬ２と第３レーザ光ＬＬ３とが合成されると、白色となる。照明装置１１０の照明において、高い質が得られる。照明装置１１０からの照明光により、識別可能な色の種類が増える。色の識別の細かさが向上する。
【００４９】
実施形態においては、レーザ素子が用いられる。レーザ素子としては例えば、半導体レーザが用いられる。レーザ素子においては、発光体の発熱が非常に小さい。このため、ＬＥＤ（Light Emitting Diode:発光ダイオード）に比べて高い光密度（高輝度）が得られる。一方、ＬＥＤでは、素子の発熱と蛍光体の発熱とが存在する。これらの熱により、素子や蛍光体の温度が上昇し、効率が低下する。レーザ素子（例えば、Laser Diode：半導体レーザ）において、レーザ光を散乱体に照射し、散乱体で散乱した光を利用できる。これにより、発熱が小さくできる。例えば、ＬＥＤにおいては、集光レンズ等を用いても、輝度を光源よりも高くすることはできない。これに対して、レーザ素子の輝度は、非常に高い。レーザ光は、コヒーレントであり、指向性が高い。散乱体を用いることで、コヒーレント性と指向性を低下させつつ、高い輝度が得られる。散乱させることで、レーザ光の危険性を低減できる。
【００５０】
実施形態において、第１レーザ光ＬＬ１の半値全幅Ｗｅ１は、例えば、１０ｎｍ以下である。５ｎｍ以下であることがさらに好ましい。第２レーザ光ＬＬ２の半値全幅Ｗｅ２は、例えば、１０ｎｍ以下である。５ｎｍ以下であることがさらに好ましい。第３レーザ光ＬＬ３の半値全幅Ｗｅ３は、例えば、１０ｎｍ以下である。５ｎｍ以下であることがさらに好ましい。  
このように各半値全幅を狭くすることで、第１レーザ光ＬＬ１、第２レーザ光ＬＬ２および第３レーザ光ＬＬ３を光学フィルタで減衰させる際に、高いＳ／Ｎが維持できる。
【００５１】
第１レーザ光ＬＬ１の帯域幅は、例えば、１０ｎｍ以内である。５ｎｍ以内であることがより好ましい。第２レーザ光ＬＬ２の帯域幅は、例えば、１０ｎｍ以内である。５ｎｍ以内であることがより好ましい。第３レーザ光ＬＬ３の帯域幅は、例えば、１０ｎｍ以内である。５ｎｍ以内であることがより好ましい。
【００５２】
実施形態において、第２ボトム透過波長λｔ２は第１ボトム透過波長λｔ１よりも長い。第２ボトム透過波長λｔ２と第１ボトム透過波長λｔ１との差は、例えば、５０ｎｍ以上である。８０ｎｍ以上であることがさらに好ましい。第３ボトム透過波長λｔ３は第２ボトム透過波長λｔ２よりも長い。第３ボトム透過波長λｔ３と第２ボトム透過波長λｔ２との差は、例えば、５０ｎｍ以上である。８０ｎｍ以上であることがさらに好ましい。
【００５３】
第１ボトム透過波長λｔ１は、第１レーザ光ＬＬ１の第１ピーク波長λｅ１と対応する。第２ボトム透過波長λｔ２は、第２レーザ光ＬＬ２の第２ピーク波長λｅ２と対応する。第３ボトム透過波長λｔ３は、第３レーザ光ＬＬ３の第３ピーク波長λｅ３と対応する。第１フィルタ素子２１は、第１レーザ光ＬＬ１、第２レーザ光ＬＬ２および第３レーザ光ＬＬ３を減衰させる。
【００５４】
実施形態において、第１透過波長領域Ｒｔ１の半値全幅Ｗｔ１は、例えば、１０ｎｍ以下である。５ｎｍ以下であることがさらに好ましい。第２透過波長領域Ｒｔ２の半値全幅Ｗｔ２は、例えば、１０ｎｍ以下である。５ｎｍ以下であることがさらに好ましい。第３透過波長領域Ｒｔ３の半値全幅Ｗｔ３は、例えば、１０ｎｍ以下である。５ｎｍ以下であることがさらに好ましい。このように、光学フィルタ２１０は透過波長領域の幅が狭く設定されているため、光の損失を抑制できる。
【００５５】
実施形態に係る照明装置及びフィルタは、例えば、光害が問題となる天体の観測施設の周辺において用いられる。  
本実施形態によれば、例えば、光害の低減ができる。そして、高品質の照明光が得られる。実施形態によれば、種々の環境に対応できる照明装置、光学フィルタを提供できる。
【００５６】
（第２の実施形態）
図３（ａ）及び図３（ｂ）は、第２の実施形態に係る照明装置を例示する模式図である。  
図３（ａ）は、斜視図である。図３（ｂ）は、照明装置の特性を例示するグラフ図である。  
図３（ｂ）において、縦軸は光の強度Ｉｎｔ２（任意単位）であり、横軸は波長λ（ｎｍ）である。
【００５７】
図３（ａ）に示すように、本実施形態に係る照明装置１１１において、第１レーザ素子１１、第２レーザ素子１２および第３レーザ素子１３に加えて、第４レーザ素子１４、第５レーザ素子１５および第６レーザ素子１６と、レーザ制御部３８と、がさらに設けられる。この例では、第４レーザ素子１４、第５レーザ素子１５および第６レーザ素子１６は、筐体１８に設けられる。
【００５８】
第４レーザ素子１４は、第４レーザ光ＬＬ４を出射する。第５レーザ素子１５は、第５レーザ光ＬＬ５を出射する。第６レーザ素子１６は、第６レーザ光ＬＬ６を出射する。  
以下の説明において、第１レーザ光ＬＬ１、第２レーザ光ＬＬ２及び第３レーザ光ＬＬ３をまとめて「第１レーザ光群」という。第４レーザ光ＬＬ４、第５レーザ光ＬＬ５及び第６レーザ光ＬＬ６をまとめて「第２レーザ光群」という。
【００５９】
図３（ｂ）に示すように、第４レーザ光ＬＬ４は、第４ピーク波長λｅ４を有する。第４ピーク波長λｅ４は、第１ピーク波長λｅ１との差の絶対値が例えば、４ｎｍ以上８０ｎｍ以下である。第５レーザ光ＬＬ５は第５ピーク波長λｅ５を有する。第５ピーク波長λｅ５は、第２ピーク波長λｅ２との差の絶対値が例えば、４ｎｍ以上８０ｎｍ以下である。第６レーザ光ＬＬ６は第６ピーク波長λｅ６を有する。第６ピーク波長λｅ６は、第３ピーク波長λｅ３との差の絶対値が例えば、４ｎｍ以上８０ｎｍ以下である。
【００６０】
第４ピーク波長λｅ４における第４レーザ光ＬＬ４の第４ピーク強度Ｉｅ４は、第４ピーク波長λｅ４を除く波長における第４レーザ光ＬＬ４の強度よりも高い。第５ピーク波長λｅ５における第５レーザ光ＬＬ５の第５ピーク強度Ｉｅ５は、第５ピーク波長λｅ５を除く波長における第５レーザ光ＬＬ５の強度よりも高い。第６ピーク波長λｅ６における第６レーザ光ＬＬ６の第６ピーク強度Ｉｅ６は、第６ピーク波長λｅ６を除く波長における第６レーザ光ＬＬ６の強度よりも高い。
【００６１】
図３（ｂ）において、第４レーザ光ＬＬ４は、第４ピーク波長λｅ４において第４ピーク強度Ｉｅ４を有する。第５レーザ光ＬＬ５は、第５ピーク波長λｅ５において、第５ピーク強度Ｉｅ５を有する。第６レーザ光ＬＬ６は、第６ピーク波長λｅ６において第６ピーク強度Ｉｅ６を有する。
【００６２】
実施形態において、これらのピーク強度は互いに同じでも良く、互いに異なっても良い。この例では、第５ピーク強度Ｉｅ５は、第４ピーク強度Ｉｅ４よりも高い。第５ピーク強度Ｉｅ５は、第６ピーク強度Ｉｅ６よりも高い。
【００６３】
第４レーザ光ＬＬ４の半値全幅Ｗｅ４、第５レーザ光ＬＬ５の半値全幅Ｗｅ５、及び、第６レーザ光ＬＬ６の半値全幅Ｗｅ６のそれぞれは、例えば、１０ｎｍ以下である。
【００６４】
第４レーザ光ＬＬ４において、半値全幅Ｗｅ４の波長の範囲で、光の強度は、第４ピーク強度Ｉｅ４の１／２以上である。第５レーザ光ＬＬ５において、半値全幅Ｗｅ５の波長の範囲で、光の強度は、第２ピーク強度Ｉｅ５の１／２以上である。第６レーザ光ＬＬ６において、半値全幅Ｗｅ６の波長の範囲で、光の強度は、第６ピーク強度Ｉｅ６の１／２以上である。
【００６５】
例えば、第４レーザ光ＬＬ４は青色であり、第５レーザ光ＬＬ５は緑色であり、第６レーザ光ＬＬ６は赤色である。このように第４ピーク波長λｅ４、第５ピーク波長λｅ５、および第６ピーク波長λｅ６を設定することにより、第４レーザ光ＬＬ４と第５レーザ光ＬＬ５と第６レーザ光ＬＬ６とが合成された光は、白色となる。
【００６６】
レーザ制御部３８は、各レーザ素子のレーザ光の出射を制御する。  
レーザ制御部３８は、第１状態において、例えば、第１レーザ素子１１に第１レーザ光ＬＬ１を出射させ、第２レーザ素子１２に第２レーザ光ＬＬ２を出射させ、第３レーザ素子１３に第３レーザ光ＬＬ３を出射させる。  
レーザ制御部３８は、第２状態において、例えば、第４レーザ素子１４に第４レーザ光ＬＬ４を出射させ、第５レーザ素子１５に第５レーザ光ＬＬ５を出射させ、第６レーザ素子１６に第６レーザ光ＬＬ６を出射させる。
【００６７】
第２状態において第１レーザ素子１１から出射される第１レーザ光Ｌ１の強度は、第１状態において第１レーザ素子１１から出射される第１レーザ光Ｌ１の強度よりも低い。第２状態において第２レーザ素子１２から出射される第２レーザ光Ｌ２の強度は、第１状態において第２レーザ素子１２から出射される第２レーザ光Ｌ２の強度よりも低い。第２状態において第３レーザ素子１３から出射される第３レーザ光Ｌ３の強度は、第１状態において第３レーザ素子１３から出射される第３レーザ光Ｌ３の強度よりも低い。例えば、第２状態において第１レーザ素子１１は、第１レーザ光Ｌ１を出射しない。例えば、第２状態において第２レーザ素子１２は、第２レーザ光Ｌ２を出射しない。例えば、第２状態において第３レーザ素子１３は、第３レーザ光Ｌ３を出射しない。
【００６８】
第１状態において第４レーザ素子１４から出射される第４レーザ光Ｌ４の強度は、第２状態において第４レーザ素子１４から出射される第４レーザ光Ｌ４の強度よりも低い。第１状態において第５レーザ素子１５から出射される第５レーザ光Ｌ５の強度は、第２状態において第５レーザ素子１５から出射される第５レーザ光Ｌ５の強度よりも低い。第１状態において第６レーザ素子１６から出射される第６レーザ光Ｌ６の強度は、第２状態において第６レーザ素子１６から出射される第６レーザ光Ｌ６の強度よりも低い。例えば、第１状態において第４レーザ素子１４は、第４レーザ光Ｌ４を出射しない。例えば、第１状態において第５レーザ素子１５は、第５レーザ光Ｌ５を出射しない。例えば、第１状態において第６レーザ素子１６は、第６レーザ光Ｌ６を出射しない。
【００６９】
レーザ制御部３８は、第１状態において第１レーザ光群を出射させ、例えば、第２レーザ光群を出射させない。レーザ制御部３８は、第２状態において第２レーザ光群を出射させ、例えば、第１レーザ光群を出射させない。
【００７０】
図４（ａ）〜図４（ｃ）は、第２の実施形態に係る光学フィルタを例示する模式図である。  
図４（ａ）は、斜視図である。図４（ｂ）は、光学フィルタの特性を例示するグラフ図である。図４（ｂ）は、波長と透過率の関係を例示している。図４（ｂ）の縦軸は、透過率Ｔｒである。横軸は、波長λ（ｎｍ）である。図４（ｃ）は、光学フィルタの特性を例示するグラフ図である。図４（ｃ）は、波長と反射率の関係を例示している。図４（ｃ）の縦軸は反射率Ｒｆである。横軸は波長λ（ｎｍ）である。
【００７１】
図４（ａ）に示すように、本実施形態に係る光学フィルタ２１１においては、第２フィルタ素子２２が設けられる。図４（ａ）に示す例では、光学フィルタ２１１は、枠体２８をさらに含む。第２フィルタ素子２２は、例えば、板状である。第２フィルタ素子２１は、枠体２８を介して、例えば、カメラ受光部３１０に取り付けられる。光学フィルタ２１１に入射する光は、光学フィルタ２１１を透過してカメラ受光部３１０に入射する。
【００７２】
図４（ｂ）に示すように、第２フィルタ素子２１は、第４透過波長領域Ｒｔ４と、第５透過波長領域Ｒｔ５と、第６透過波長領域Ｒｔ６と、を有する。  
第４透過波長領域Ｒｔ４は、第４ボトム透過波長λｔ４を有する。  
第４ボトム透過波長λｔ４と第１ボトム透過波長λｔ１との差の絶対値は、例えば、４ｎｍ以上８０ｎｍ以下である。  
第５透過波長領域Ｒｔ５は、第５ボトム透過波長λｔ５を有する。  
第５ボトム透過波長λｔ５と第２ボトム透過波長λｔ２との差の絶対値は、例えば、４ｎｍ以上８０ｎｍ以下である。  
第６透過波長領域Ｒｔ６は、第６ボトム透過波長λｔ６を有する。  
第６ボトム透過波長λｔ６と第３ボトム透過波長λｔ３との差の絶対値は、例えば、４ｎｍ以上８０ｎｍ以下である。
【００７３】
図４（ｂ）に示すように、第４透過波長領域Ｒｔ４は、第４ボトム透過波長λｔ４において第４ボトム透過率Ｉｔ４を有する。第５透過波長領域Ｒｔ５は、第５ボトム透過波長λｔ５において第５ボトム透過率Ｉｔ５を有する。第６透過波長領域Ｒｔ６は、第６ボトム透過波長λｔ６において第６ボトム透過率Ｉｔ６を有する。
【００７４】
第４透過波長領域Ｒｔ４の第４ボトム透過波長λｔ４における第４ボトム透過率Ｉｔ４は、第４透過波長領域Ｒｔ４の第４ボトム透過波長λｔ４を除く波長における透過率よりも低い。  
第５透過波長領域Ｒｔ５の第５ボトム透過波長λｔ５における第５ボトム透過率Ｉｔ５は、第５透過波長領域Ｒｔ５の第５ボトム透過波長λｔ５を除く波長における透過率よりも低い。  
第６透過波長領域Ｒｔ６の第６ボトム透過波長λｔ６における第６ボトム透過率Ｉｔ６は、第６透過波長領域Ｒｔ６の第６ボトム透過波長λｔ６を除く波長における透過率よりも低い。
【００７５】
第４ボトム透過波長λｔ４は、第４レーザ光ＬＬ４の第４ピーク波長λｅ４と対応する。第５ボトム透過波長λｔ５は、第５レーザ光ＬＬ５の第５ピーク波長λｅ５と対応する。第６ボトム透過波長λｔ６は、第６レーザ光ＬＬ６の第６ピーク波長λｅ６と対応する。第２フィルタ素子２２は、第４レーザ光ＬＬ４、第５レーザ光ＬＬ５および第６レーザ光ＬＬ６を減衰させる。
【００７６】
第４ボトム透過波長λｔ４と第４ピーク波長λｅ４との差の絶対値は、例えば、５ｎｍ以下である。３ｎｍ以下であることがさらに好ましい。第５ボトム透過波長λｔ５と第５ピーク波長λｅ５との差の絶対値は、例えば、５ｎｍ以下である。３ｎｍ以下であることがさらに好ましい。第６ボトム透過波長λｔ６と第６ピーク波長λｅ６との差の絶対値は、例えば、５ｎｍ以下である。３ｎｍ以下であることがさらに好ましい。
【００７７】
実施形態において、照明装置１１１においては、第１レーザ光群の出射と、第２レーザ光群の出射と、を必要に応じて切り替えることができる。  
実施形態において、例えば、光学フィルタ２１０と光学フィルタ２１１とのいずれかが使用される。
【００７８】
例えば、照明装置１１１を街路灯として用い、光学フィルタ２１０と光学フィルタ２１１とのいずれかを天体の観測を行う天体望遠鏡に用いる。照明装置１１１からの照明光の影響を実質的に受けずに、天体の撮像を行うことができる。
【００７９】
例えば、照明装置１１１から第１レーザ光群を出射する場合、観測者は、光学フィルタ２１０を用いる。これにより、第１レーザ光群の影響が低減した状態で観測できる。照明装置１１１から第２レーザ光群を出射する場合、観測者は、光学フィルタ２１１を用いる。これにより、第２レーザ光群の影響を低減した状態で観測できる。
【００８０】
観測する対象（例えば星）からの光が、第１レーザ光群の波長（第１〜第３ピーク波長λｅ１〜３）と重なる波長成分を有する場合、対象（例えば星）からの光と、第１レーザ光群と、の分離が困難になる。このため、対象（例えば星）の観測が困難である。第１レーザ光群と第２レーザ光群とを用い、それらを切り替えて使用する。例えば、対象（例えば星）からの光は、第２レーザ光群の波長（第４〜第６ピーク波長λｅ４〜６）と実質的に重ならない。対象（例えば星）からの光と、第１レーザ光群と、の分離が容易になる。対象（例えば星）の観測が容易になる。
【００８１】
すなわち、第１のＲＢＧレーザ照明と、第１のＲＧＢレーザ照明とはピーク波長の異なる第２のＲＧＢレーザ照明と、を用いる。そして、第１のＲＧＢレーザ照明の光を反射する第１のフィルタと、第２のＲＧＢレーザ照明の光を反射する第２のフィルタと、を用いる。第１、第２のＲＧＢレーザ照明は、切り替え可能である。第１、第２のフィルタ（第１、第２フィルタ素子２１、２２）は、切り替え可能である。第１のＲＧＢレーザ照明が照射される場合は、第１のフィルタを用いる。第２のＲＧＢレーザ照明が照射される場合は、第２のフィルタを用いる。
【００８２】
観測したい天体が発する光のうち、観測対象の光に第１ピーク波長λｅ１が含まれている場合、光学フィルタ２１０を用いると観測対象の光を観測できない。この場合、第２レーザ光群を出射し第１レーザ光群を出射しないようにし、光学フィルタ２１１を用いて第２レーザ光群を減衰する。これにより、レーザ光群を照明として使用しつつ、観測対象の光を観測することができる。
【００８３】
第１状態において、例えば、第１レーザ光群を出射させ、第２レーザ光群を弱い出力で出射してもよい。この場合、第２レーザ光群を照明として使用しても、例えば、光害を抑制できる。第２状態において、例えば、第２レーザ光群を出射させ、第１レーザ光群を弱い出力で出射してもよい。この場合、第１レーザ光群を照明として使用しても、例えば、光害を抑制できる。
【００８４】
実施形態において、ボトム透過率は、互いに同じでも良く、互いに異なっても良い。この例では、第４ボトム透過率Ｉｔ４は、第５ボトム透過率Ｉｔ５よりも低い。第６ボトム透過率Ｉｔ６は、第５ボトム透過率Ｉｔ５よりも低い。
【００８５】
第４透過波長領域Ｒｔ４の半値全幅Ｗｔ４は、例えば、１０ｎｍ以下である。第５透過波長領域Ｒｔ５の半値全幅Ｗｔ５は、例えば、１０ｎｍ以下である。第６透過波長領域Ｒｔ６の半値全幅Ｗｔ６は、例えば、１０ｎｍ以下である。
【００８６】
半値全幅Ｗｔ４の波長の範囲において、透過率は、｛Ｉｔ４＋（１−Ｉｔ４）／２｝以下である。半値全幅Ｗｔ５の波長の範囲において、透過率は、｛Ｉｔ５＋（１−Ｉｔ５）／２｝以下である。半値全幅Ｗｔ６の波長の範囲において、透過率は、｛Ｉｔ６＋（１−Ｉｔ６）／２｝以下である。
【００８７】
例えば、第４ボトム透過波長λｔ４は青色の波長である。第５ボトム透過波長λｔ５は緑色の波長である。第６ボトム透過波長λｔ６は赤色の波長である。
【００８８】
本例では、第４ボトム透過波長λｔ４は第４レーザ光ＬＬ４の第４ピーク波長λｅ４と対応する。第５ボトム透過波長λｔ５は第５レーザ光ＬＬ５の第５ピーク波長λｅ５と対応する。第６ボトム透過波長λｔ６は第６レーザ光ＬＬ６の第６ピーク波長λｅ６と対応する。
【００８９】
実施形態において、例えば、光学フィルタ２１１における吸収率は低く、無視できる。このとき、透過率と反射率との和は、実質的に１である。
【００９０】
図４（ｃ）に示すように、第２フィルタ素子２２は、第４反射波長領域Ｒｒ４と、第５反射波長領域Ｒｒ５と、第６反射波長領域Ｒｒ６と、を有する。
【００９１】
第４反射波長領域Ｒｒ４は、第４ピーク反射波長λｒ４を有する。  
第４ピーク反射波長λｒ４と第１ピーク反射波長λｒ１との差の絶対値は、例えば、４ｎｍ以上８０ｎｍ以下である。  
第５反射波長領域Ｒｒ５は、第５ピーク反射波長λｒ５を有する。  
第５ピーク反射波長λｒ５と第２ピーク反射波長λｒ２との差の絶対値は、例えば、４ｎｍ以上８０ｎｍ以下である。  
第６反射波長領域Ｒｒ６は、第６ピーク反射波長λｒ６を有する。  
第６ピーク反射波長λｒ６と第３ピーク反射波長λｒ３との差の絶対値は、例えば、４ｎｍ以上８０ｎｍ以下である。
【００９２】
図４（ｃ）において、第４反射波長領域Ｒｒ４は、第４ピーク反射波長λｒ４において第４ピーク反射率Ｉｒ４を有する。第５反射波長領域Ｒｒ５は、第５ピーク反射波長λｒ５において、第５ピーク反射率Ｉｒ５を有する。第６反射波長領域Ｒｒ６は、第６ピーク反射波長λｒ６において第６ピーク反射率Ｉｒ６を有する。
【００９３】
第４ピーク反射波長λｒ４における第４ピーク反射率Ｉｒ４は、第４反射波長領域Ｒｒ４のうちで第４ピーク反射波長λｒ４を除く波長における反射率よりも高い。  
第５ピーク反射波長λｒ５における第５ピーク反射率Ｉｒ５は、第５反射波長領域Ｒｒ５のうちで第５ピーク反射波長λｒ５を除く波長における反射率よりも高い。  
第６ピーク反射波長λｒ６における第６ピーク反射率Ｉｒ６は、第６反射波長領域Ｒｒ６のうちで第６ピーク反射波長λｒ６を除く波長における反射率よりも高い。
【００９４】
実施形態において、これらの反射率は互いに同じでも良く、互いに異なっても良い。この例では、第５ピーク反射率Ｉｒ５は、第４ピーク反射率Ｉｒ４よりも低い。第５ピーク反射率Ｉｒ５は、第６ピーク反射率Ｉｒ６よりも低い。
【００９５】
第４反射波長領域Ｒｒ４の半値全幅Ｗｒ４は、例えば、１０ｎｍ以下である。第５反射波長領域Ｒｒ５の半値全幅Ｗｒ５は、例えば、１０ｎｍ以下である。第６反射波長領域Ｒｒ６の半値全幅Ｗｒ６は、例えば、１０ｎｍ以下である。
【００９６】
半値全幅Ｗｒ４の波長の範囲において、反射率は、第４ピーク反射率Ｉｒ４の１／２以上である。半値全幅Ｗｒ５の波長の範囲において、反射率は、第５ピーク反射率Ｉｒ５の１／２以上である。半値全幅Ｗｒ６の波長の範囲において、反射率は、第６ピーク反射率Ｉｒ６の１／２以上である。
【００９７】
本例では、第４ピーク反射波長λｒ４は第４レーザ光ＬＬ４の第４ピーク波長λｅ４と対応する。第５ピーク反射波長λｒ５は第５レーザ光ＬＬ５の第５ピーク波長λｅ５と対応する。第６ピーク反射波長λｒ６は第６レーザ光ＬＬ６の第６ピーク波長λｅ６と対応する。
【００９８】
実施形態において、第４ピーク波長λｅ４と第１ピーク波長λｅ１との差の絶対値は、例えば、４ｎｍ以上８０ｎｍ以下である。６ｎｍ以上６０ｎｍ以下であることがさらに好ましい。第５ピーク波長λｅ５と第２ピーク波長λｅ２との差の絶対値は、例えば、４ｎｍ以上８０ｎｍ以下である。６ｎｍ以上６０ｎｍ以下であることがさらに好ましい。第６ピーク波長λｅ６と第３ピーク波長λｅ３との差の絶対値は、例えば、４ｎｍ以上８０ｎｍ以下である。６ｎｍ以上６０ｎｍ以下であることがさらに好ましい。
【００９９】
第４ピーク波長λｅ４、第５ピーク波長λｅ５および第６ピーク波長λｅ６が、互いに異なって設定されている。このため、第４レーザ光ＬＬ４と第５レーザ光ＬＬ５と第６レーザ光ＬＬ６との合成光は、例えば、複数の色を含む。照明装置１１１からの照明光により、物体の複数の色を識別できる。
【０１００】
識別可能な色を増やすために、第４ピーク波長λｅ４、第５ピーク波長λｅ５および第６ピーク波長λｅ６のそれぞれを調整してもよい。
【０１０１】
例えば、第４レーザ光ＬＬ４は、青色であり、第５レーザ光ＬＬ５は、緑色であり、第６レーザ光ＬＬ６は、赤色である。この場合、第４レーザ光ＬＬ４と第５レーザ光ＬＬ５と第６レーザ光ＬＬ６とが合成されると、白色となる。照明装置１１１の照明の質が高い。照明装置１１０からの照明光により、識別可能な色の種類が増える。色の識別の細かさが向上する。
【０１０２】
実施形態において、第４レーザ光ＬＬ４の半値全幅Ｗｅ４は、例えば、１０ｎｍ以下である。５ｎｍ以下であることがさらに好ましい。第５レーザ光ＬＬ５の半値全幅Ｗｅ５は、例えば、１０ｎｍ以下である。５ｎｍ以下であることがさらに好ましい。第６レーザ光ＬＬ６の半値全幅Ｗｅ６は、例えば、１０ｎｍ以下である。５ｎｍ以下であることがさらに好ましい。  
このように各半値全幅を狭くすることで、第４レーザ光ＬＬ４、第５レーザ光ＬＬ５および第６レーザ光ＬＬ６を光学フィルタで減衰させる際に、高い明るさが維持できる。
【０１０３】
第４レーザ光ＬＬ４の帯域幅は、例えば、１０ｎｍ以内である。５ｎｍ以内であることがより好ましい。第５レーザ光ＬＬ５の帯域幅は、例えば、１０ｎｍ以内である。５ｎｍ以内であることがより好ましい。第６レーザ光ＬＬ６の帯域幅は、例えば、１０ｎｍ以内である。５ｎｍ以内であることがより好ましい。
【０１０４】
実施形態において、第４ボトム透過波長λｔ４と第１ボトム透過波長λｔ１との差の絶対値は、例えば、４ｎｍ以上８０ｎｍ以下である。６ｎｍ以上６０ｎｍ以下であることがさらに好ましい。第５ボトム透過波長λｔ５と第２ボトム透過波長λｔ２との差の絶対値は、例えば、４ｎｍ以上８０ｎｍ以下である。６ｎｍ以上６０ｎｍ以下であることがさらに好ましい。第６ボトム透過波長λｔ６と第３ボトム透過波長λｔ３との差の絶対値は、例えば、４ｎｍ以上８０ｎｍ以下である。６ｎｍ以上６０ｎｍ以下であることがさらに好ましい。
【０１０５】
実施形態において、第４透過波長領域Ｒｔ４の半値全幅Ｗｔ４は、例えば、１０ｎｍ以下である。５ｎｍ以下であることがさらに好ましい。第５透過波長領域Ｒｔ５の半値全幅Ｗｔ５は、例えば、１０ｎｍ以下である。５ｎｍ以下であることがさらに好ましい。第６透過波長領域Ｒｔ６の半値全幅Ｗｔ６は、例えば、１０ｎｍ以下である。５ｎｍ以下であることがさらに好ましい。このように、光学フィルタ２１０は反射波長領域の幅が狭く設定されているため、光の損失を抑制できる。
【０１０６】
レーザ光群は、例えば、３つのレーザ光の組み合わせである。３つのレーザ光のそれぞれの波長は互いに異なる。上記では、レーザ光群とそのレーザ光群を減衰させる光学フィルタとの組（以下、「レーザ光群と光学フィルタとの組」という。）が、２組設けられる。レーザ光群と光学フィルタとの組の数は、３以上でも良い。
【０１０７】
図５は、実施形態に係る別の照明装置を例示する模式図である。  
図５に示すように、照明装置１１２において、第１レーザ素子１１、第２レーザ素子１２および第３レーザ素子１３に加えて、光源５０がさらに設けられる。光源５０は、非可干渉光Ｉｎｃを放出する。非可干渉光Ｉｎｃの全光束光量は、例えば、第２レーザ光ＬＬ２の全光束光量の１／７以下に設定するい。これにより、例えば天体の観測時に、照明装置１１２を照明として使用できる。光害を抑制できる。非可干渉光Ｉｎｃは、例えば、実質的に白色である。
【０１０８】
図６は、実施形態に係る別の照明装置を例示する模式図である。  
図６に示すように、照明装置１１３において、第１レーザ素子１１、第２レーザ素子１２および第３レーザ素子１３に加えて、反射部６０がさらに設けられる。反射部６０は、第１レーザ光群が入射する曲面６０ａを有する。反射部６０の曲面６０ａは、例えば、放物面または楕円面である。反射部６０により、所望の方向に光の進行方向を制御できる。複数のレーザ光の合成が容易になる。第１〜第６レーザ素子１１〜１６と、反射部６０と、を組み合わせても良い。
【０１０９】
レーザ素子と反射部６０との間に、レーザ光を散乱させる散乱体６８をさらに設けてもよい。散乱体６８は、例えば、反射部６０の焦点または焦点近傍に配置される。これによりレーザ光が合成しやすく、むらの少ない照明が得られる。
【０１１０】
照明装置１１０〜照明装置１１３において、レーザ素子と散乱体６８との間に、光ファイバをさらに設けてもよい。照明装置における、散乱体６８とレーザ素子との間の空間的な配置の自由度が高まる。
【０１１１】
図７は、実施形態に係る光学フィルタを例示する模式的断面図である。  
図７に示すように、第１フィルタ素子２１は、第１領域３１と、第２領域３２と、第３領域３３と、を含んでいる。  
第２領域３２は、第１方向Ｄ１において第１領域３１と並んでいる。第３領域３３は、第１方向Ｄ１において第１領域３１及び第２領域３２と並んでいる。  
第１領域３１は、第１方向Ｄ１に交互に配置された複数の第１層３１ａ及び複数の第２層３１ｂを含む。  
第２領域３２は、第１方向Ｄ１に交互に配置された複数の第３層３２ａ及び複数の第４層３２ｂを含む。  
第３領域３３は、第１方向Ｄ１に交互に配置された複数の第５層３３ａ及び複数の第６層３３ｂを含む。
【０１１２】
第１領域３１は、積層された複数の誘電体層を含む多層膜である。第１領域３１の屈折率は、厚さ方向に、連続的且つ周期的に変化している。第１領域３１の厚さ方向の中央部において屈折率が高く、中央部を除く部分において屈折率が低い。第１領域３１における屈折率分布の形状（例えば、屈折率変化の包絡線形状）は、紡錘形である。実施形態において、例えば、紡錘形ルーゲート(ｒｕｇａｔｅ)構造が用いられる。紡錘形ルーゲート構造においては、厚さ方向において屈折率が連続的且つ周期的に変化する。第１領域３１において、屈折率の変化がステップ状であり、屈折率の包絡線が紡錘型である場合も、十分に高い反射率と、十分に狭い反射率のバンド幅が得られる。  
第２領域３２及び第３領域３３は、例えば、積層された複数の誘電体層を含む多層膜である。
【０１１３】
（第３の実施形態）
図８は、第３の実施形態に係る照明システムを例示する模式図である。  
図８に示すように、本実施形態に係る照明システム８１０において、照明装置１１４と、光学フィルタ２１２と、が設けられる。  
照明装置１１４は、第１レーザ素子１１と、第２レーザ素子１２と、第３レーザ素子１３と、第４レーザ素子１４と、第５レーザ素子１５と、第６レーザ素子１６と、レーザ制御部３８と、反射部６０とを含む。
【０１１４】
照明装置１１４は、例えば、天体の観測施設の周辺に設置される。この例では、複数の照明装置１１４が、車道９０の側方に設置されており、街路灯として用いられている。
【０１１５】
光学フィルタ２１２は、第１フィルタ素子２１と、第２フィルタ素子２２と、フィルタ制御部３９を含む。この例では、第１フィルタ素子２１と第２フィルタ素子２２とのいずれかが、カメラ受光部３１０の所定位置に配置される。カメラ受光部３１０は図示しない天体望遠鏡に取り付けられる。位置制御装置４８は、フィルタ制御部３９からの指示を受けて、カメラ受光部３１０の所定位置に、第１フィルタ素子２１または第２フィルタ素子２２を配置させる。フィルタ制御部３９は、例えば、第１フィルタ素子２１の位置を、第１状態と第２状態との間で変更する。フィルタ制御部３９は、第２フィルタ素子２２の位置を、第１状態と第２状態との間で変更する。フィルタ制御部３９は、カメラ受光部３１０の位置を、第１状態と第２状態との間で変更しても良い。
【０１１６】
本実施形態によれば、照明装置１１４で車道９０を照らすことができる。照明装置１１４の影響を実質的に受けることなく天体望遠鏡で天体を観測することができる。
【０１１７】
観測したい天体が発する光のうち、観測対象の光に、例えば、第１ピーク波長λｅ１の光が含まれている場合、照明装置１１４は、第２レーザ光群を出射する。観測者は、第２フィルタ素子２２を用いる。照明装置１１４は、車道９０を照らす。観測者は、照明装置１１４の影響を低減できる。
【０１１８】
観測したい天体が発する光のうち、観測対象の光に、例えば、第４ピーク波長λｅ４の光が含まれている場合、照明装置１１４は、第１レーザ光群を出射する。観測者は、第１フィルタ素子２１を用いる。照明装置１１４は、車道９０を照らす。観測者は、照明装置１１４の影響を低減できる。
【０１１９】
実施形態において、例えば、光学フィルタ２１０を眼鏡レンズと組み合わせて使用してもよい。その眼視を使用している使用者が星を観察する際の光害が低減する。
【０１２０】
所定の位置（例えば観察場所）からの距離が１００ｍ程度の範囲において、照明装置１１３を用いたとき、例えば、観測装置や目に直接入射する光が低減する。
所定の位置（例えば観察場所）からの距離が１ｋｍ程度の範囲において、照明装置１１３を用いたとき、例えば、建物、構造物や樹木などによる照明の散乱光が低減する。
【０１２１】
所定の位置（例えば観察場所）から５０ｋｍ程度の範囲において、照明装置１１３を用いたとき、例えば、空中の微粒子による散乱光が低減する。
【０１２２】
実施形態において、照明装置は、例えば、施設照明、空港灯またはスタジアム照明として用いてもよい。照明装置は、例えば、投光器として用いられる。レーザ素子は、輝度が高いので、照射領域（照明パターン）の境界が明確になる。必要ない波長の光を、実質的に照射しない。光害が抑制される。
【０１２３】
照明システムにおいて、照明装置及び光学フィルタに加えて、中央制御部をさらに設けてもよい。中央制御部は、複数の照明装置のレーザ制御部を制御する。一方、例えば、使用者は、レーザ光群に対応する光学フィルタを用いる。
【０１２４】
以上、具体例を参照しつつ、本発明の実施の形態について説明した。しかし、本発明は、これらの具体例に限定されるものではない。例えば、レーザ素子、フィルタ素子、レーザ制御部、フィルタ制御部などの各要素の具体的な構成に関しては、当業者が公知の範囲から適宜選択することにより本発明を同様に実施し、同様の効果を得ることができる限り、本発明の範囲に包含される。
【０１２５】
また、各具体例のいずれか２つ以上の要素を技術的に可能な範囲で組み合わせたものも、本発明の要旨を包含する限り本発明の範囲に含まれる。
【０１２６】
その他、本発明の実施の形態として上述した照明装置、光学フィルタ及び照明システムを基にして、当業者が適宜設計変更して実施し得る全ての照明装置、光学フィルタ及び照明システムも、本発明の要旨を包含する限り、本発明の範囲に属する。
【０１２７】
その他、本発明の思想の範疇において、当業者であれば、各種の変更例及び修正例に想到し得るものであり、それら変更例及び修正例についても本発明の範囲に属するものと了解される。
【０１２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２９】
１１〜１６…第１〜第６レーザ素子、  １８…筐体、  ２１…第１フィルタ素子、  ２２…第２フィルタ素子、  ２８…枠体、  ３１〜３３…第１〜第３領域、  ３１ａ…第１層、  ３１ｂ…第２層、  ３２ａ…第３層、  ３２ｂ…第４層、  ３３ａ…第５層、  ３３ｂ…第６層、  ３８…レーザ制御部、  ３９…フィルタ制御部、  ４８…位置制御装置、  ５０…光源、  ６０…反射部、  ６０ａ…曲面、  ６８…散乱体、  ９０…車道、  １１０〜１１４…照明装置、  ２１０〜２１２…光学フィルタ、  ３１０…カメラ受光部、  ８１０…照明システム、  Ｉｎｃ…非可干渉光、  Ｉｎｔ１、Ｉｎｔ２…強度、  λ…波長、  λｅ１〜λｅ６…第１〜第６ピーク波長、  λｔ１〜λｔ６…第１〜第６ボトム透過波長、  λｒ１〜λｒ６…第１〜第６ピーク反射波長、  Ｉｅ１〜Ｉｅ６…第１〜第６ピーク強度、  Ｉｔ１〜Ｉｔ６…第１〜第６ボトム透過率、  Ｉｒ１〜Ｉｒ６…第１〜第６ピーク反射率、  ＬＬ１〜ＬＬ６…第１〜第６レーザ光、  Ｒｆ…反射率、  Ｒｔ１〜Ｒｔ６…第１〜第６透過波長領域、  Ｒｒ１〜Ｒｒ６…第１〜第６反射波長領域、  Ｔｒ…透過率、  Ｗｅ１〜Ｗｅ６…第１〜第６半値全幅、  Ｗｔ１〜Ｗｔ６…第１〜第６半値全幅、  Ｗｒ１〜Ｗｒ６…第１〜第６半値全幅、  Ｄ１…第１方向
【図１】
2016051606.tif 000003
【図２】
2016051606.tif 000004
【図３】
2016051606.tif 000005
【図４】
2016051606.tif 000006
【図５】
2016051606.tif 000007
【図６】
2016051606.tif 000008
【図７】
2016051606.tif 000009
【図８】
2016051606.tif 000010